(57)【特許請求の範囲】
【請求項１】
複数ポートを有するスロットを複数個配列した通信装置であって、
各スロットにおける各ポートを異なるスロットにそれぞれ対応付けてポート単位で接続したフルメッシュ接続構造を有するシリアル伝送バックプレーンと、
各スロットに搭載されたボードの各ポートの接続状態を管理する管理手段と、
を有し、
前記複数のスロットに少なくとも１個のスイッチボートと複数のノードボードとを搭載し、
前記管理手段が、前記スイッチボートの各ポートの接続状態を設定し、前記ノードボートの各ポートのシリアル信号の種別を前記スイッチボートのシリアル伝送方式に整合させるように前記ノードボートのシリアル信号種別を切り換える、ことを特徴とする通信装置。
【請求項２】
ｎを２以上の正整数とすると、ｎ個のスロットの各々がｎ個のポートを有し、前記シリアル伝送バックプレーンは、任意のｉ番目のスロットの任意のｊ番目のポートがｊ番目のスロットのｉ番目のポートに接続された接続形態を有することを特徴とする請求項１に記載の通信装置。
【請求項３】
複数ポートを有するスロットを複数個配列した通信装置における接続管理方法であって、
前記通信装置は、各スロットにおける各ポートを異なるスロットにそれぞれ対応付けてポート単位で接続したフルメッシュ接続構造を有するシリアル伝送バックプレーンを有し、
各スロットに搭載されたボードからボード種別およびシリアル信号種別を含む確認情報を取得することで、各ボードに関する管理テーブルを生成し、
前記管理テーブルを用いて前記複数のスロットに搭載されたボードを所望の接続形態に設定するための設定情報を各ボードへ送信し、
前記複数のスロットに少なくとも１個のスイッチボートと複数のノードボードとを搭載し、
前記設定情報が、前記スイッチボートの各ポートの接続状態を設定し、前記ノードボートの各ポートのシリアル信号の種別を前記スイッチボートのシリアル伝送方式に整合させるように前記ノードボートのシリアル信号種別を切り換える、ことを特徴とする接続管理方法。
【請求項４】
ｎを２以上の正整数とすると、ｎ個のスロットの各々がｎ個のポートを有し、前記シリアル伝送バックプレーンは、任意のｉ番目のスロットの任意のｊ番目のポートがｊ番目のスロットのｉ番目のポートに接続された接続形態を有することを特徴とする請求項３に記載の接続管理方法。
【請求項５】
複数ポートを有するスロットを複数個配列し、各スロットにおける各ポートを異なるスロットにそれぞれ対応付けてポート単位で接続したフルメッシュ接続構造を有するシリアル伝送バックプレーンと、各スロットに搭載されたスイッチボードあるいはノードボードの各ポートの接続状態を管理する管理手段と、を有する通信装置に搭載されるノードボードであって、
前記管理手段とインタフェース情報を送受信するためのボード管理手段と、
前記ボード管理手段により制御され、前記複数ポートの任意のポートを複数種別のシリアル信号の１つに接続するシリアル信号選択手段と、
を有し、
前記管理手段が、前記スイッチボートの各ポートの接続状態を設定し、前記ノードボートの各ポートのシリアル信号の種別を前記スイッチボートのシリアル伝送方式に整合させるように前記シリアル信号選択手段を制御してシリアル信号種別を切り換える、ことを特徴とするノードボード。
【請求項６】
前記スイッチボードが、前記管理手段とインタフェース情報を送受信するためのボード管理手段と、前記ボード管理手段により制御され、前記複数ポートの任意のポートを他のポートと接続するシリアル信号スイッチ手段と、を有することを特徴とする請求項５に記載のノードボード。
【発明の詳細な説明】
【技術分野】
【０００１】
本発明はＡＴＣＡ(Advanced Telecom Computing Architecture)などの規格に準拠した通信装置に係り、特にこのような通信装置のバックプレーンの接続形態および搭載したボードの接続管理方法に関する。
【背景技術】
【０００２】
ＡＴＣＡなどに規定されているように、シリアルインタフェースをバックプレーンとして有する通信装置では、バックプレーンの接続形態としてスター型とフルメッシュ型が存在する。フルメッシュ型は全てのボードが相互接続された接続形態であり、本来スイッチボードを必要としないが、各ノードボードの設計が容易ではないために一般的には使用されていない。これに対して、スター型はスイッチボードを介して複数のノードボードが接続された接続形態であり、一般的に採用されている。
【０００３】
このように複数のボードを着脱可能に搭載した通信装置では、システム設定や構成情報の管理の複雑化、機能実装の煩雑化などを避けるために、種々の管理方法が提案されている（たとえば、特許文献１、２など）。
【先行技術文献】
【特許文献】
【０００４】
【特許文献１】特開２００６−２７７０３３号公報
【特許文献２】特開２０１０−００３０５６号公報
【発明の概要】
【発明が解決しようとする課題】
【０００５】
しかしながら、上述した通信装置において、スイッチボードやノードボードの搭載位置や搭載数に制約されることなく自由に装置構成をしたい場合や、バックプレーンで使用するイーサネット（登録商標、以下Ｅｔｈｅｒと記す。）やＰＣＩ−Ｅｘｐｒｅｓｓなどのシリアル伝送方式をポートレベルで使用したい場合には、次のような課題があった。
【０００６】
まず、フルメッシュ型のバックプレーンでは、各ノードボード間の接続を意識して使用する必要があるために同じノードボードを使用しづらい。また、スター型のバックプレーンでは、スイッチボードとノードボードの搭載位置は固定となり自由な構成をとることが出来ない。また、フルメッシュ型でスイッチボードを搭載した場合を考えても、搭載位置に関しては自由になりうるが、スイッチボードとノードボードでバックプレーンに使用するシリアル伝送方式は同じでなければ、同様に使用するポートを意識する必要があり、搭載するノードボードは統一できないことになる。
【０００７】
このように、これまでの通信装置では、スイッチボードとノードボードの搭載位置は固定であり自由な位置に搭載することができない。また、インタフェース単位（ベース、ファブリック）でシリアル信号を扱っているので、ポート単位で異なるシリアル信号を使用することができない。
【０００８】
そこで、本発明の目的は、スイッチボードとノードボードの搭載位置を固定せずに実装することができ、かつポート単位で接続管理が可能となる通信装置およびその接続管理方法を提供することにある。
【課題を解決するための手段】
【０００９】
本発明による通信装置は、複数ポートを有するスロットを複数個配列した通信装置であって、各スロットにおける各ポートを異なるスロットにそれぞれ対応付けてポート単位で接続したフルメッシュ接続構造を有するシリアル伝送バックプレーンと、各スロットに搭載されたボードの各ポートの接続状態を管理する管理手段と、を有し、前記複数のスロットに少なくとも１個のスイッチボートと複数のノードボードとを搭載し、前記管理手段が、前記スイッチボートの各ポートの接続状態を設定し、前記ノードボートの各ポートのシリアル信号の種別を前記スイッチボートのシリアル伝送方式に整合させるように前記ノードボートのシリアル信号種別を切り換える、することを特徴とする。
【００１０】
本発明による接続管理方法は、複数ポートを有するスロットを複数個配列した通信装置における接続管理方法であって、前記通信装置は、各スロットにおける各ポートを異なるスロットにそれぞれ対応付けてポート単位で接続したフルメッシュ接続構造を有するシリアル伝送バックプレーンを有し、各スロットに搭載されたボードからボード種別およびシリアル信号種別を含む確認情報を取得することで、各ボードに関する管理テーブルを生成し、前記管理テーブルを用いて前記複数のスロットに搭載されたボードを所望の接続形態に設定するための設定情報を各ボードへ送信し、前記複数のスロットに少なくとも１個のスイッチボートと複数のノードボードとを搭載し、前記設定情報が、前記スイッチボートの各ポートの接続状態を設定し、前記ノードボートの各ポートのシリアル信号の種別を前記スイッチボートのシリアル伝送方式に整合させるように前記ノードボートのシリアル信号種別を切り換える、ことを特徴とする。
【００１１】
本発明によるノードボードは、複数ポートを有するスロットを複数個配列し、各スロットにおける各ポートを異なるスロットにそれぞれ対応付けてポート単位で接続したフルメッシュ接続構造を有するシリアル伝送バックプレーンと、各スロットに搭載されたスイッチボードあるいはノードボードの各ポートの接続状態を管理する管理手段と、を有する通信装置に搭載されるノードボードであって、前記管理手段とインタフェース情報を送受信するためのボード管理手段と、前記ボード管理手段により制御され、前記複数ポートの任意のポートを複数種別のシリアル信号の１つに接続するシリアル信号選択手段と、を有し、前記管理手段が、前記スイッチボートの各ポートの接続状態を設定し、前記ノードボートの各ポートのシリアル信号の種別を前記スイッチボートのシリアル伝送方式に整合させるように前記シリアル信号選択手段を制御してシリアル信号種別を切り換える、ことを特徴とする。
【００１２】
なお、スイッチボードは、前記管理手段とインタフェース情報を送受信するためのボード管理手段と、前記ボード管理手段により制御され、前記複数ポートの任意のポートを他のポートと接続するシリアル信号スイッチ手段と、を有することができる。
【発明の効果】
【００１３】
本発明により、スイッチボードとノードボードの搭載位置を固定せずに実装することができ、かつポート単位で接続管理が可能となる。
【図面の簡単な説明】
【００１４】
【図１】本発明の一実施形態による通信装置の概略的構成を示すブロック図である。
【図２】本実施形態によるノードボードの機能的構成を示すブロック図である。
【図３】本実施形態によるスイッチボードの機能的構成を示すブロック図である。
【図４】本実施形態による通信装置のバックプレーン接続形態を一般的に示す模式的ブロック図である。
【図５】本実施形態による通信装置のバックプレーン接続形態の一例を示す模式的ブロック図である。
【図６】本発明の一実施例による通信装置のバックプレーン接続形態を示す模式的ブロック図である。
【図７】本実施例による通信装置のボード接続管理方法の一例を示す模式的ブロック図である。
【図８】本実施例による通信装置のボード接続管理方法の一例を示すシーケンス図である。
【図９】（Ａ）は図８における装置管理部への確認情報の一例を示す模式図、（Ｂ）は図７における装置管理部からの設定情報の一例を示す模式図である。
【図１０】（Ａ）は図８における装置管理部のシリアル信号種別の管理テーブルの一例を示す模式図、（Ｂ）は図８における装置管理部のスロット位置とボード種別の管理テーブルの一例を示す模式図である。
【発明を実施するための形態】
【００１５】
本発明によれば、バックプレーンの接続形態をフルメッシュ構成としてポートの接続方法を定義し、スイッチボードとノードボードの搭載位置を固定することなく実装可能となる。さらに、ノードボードにシリアル信号セレクタ機能を実装することで、ポート単位で異なるシリアル信号を使用することができる。以下、本発明の一実施形態による通信装置の構成及び動作について詳細に説明する。
【００１６】
１．一実施形態
１．１）構成
図１に示すように、本実施形態による通信装置１０は、ボードを着脱可能に搭載するｎ個のスロット＃１−＃ｎが所定の筐体に配列され、各スロットがｎ個のシリアルポート＃１−＃ｎを有する。さらに、通信装置１０は、スロット間の信号接続を行うシリアル伝送方式のバックプレーン１１と、バックプレーン１１の接続形態および搭載されたボードを管理する装置管理部１２とを有する。シリアル伝送方式としては、たとえばＥｔｈｅｒやＰＣＩ−Ｅｘｐｒｅｓｓなどである。装置管理部１２には、後述する管理テーブル１３が設けられている。スロットに搭載されるノードボードおよびスイッチボードの構成は次の通りである。
【００１７】
図２にはスロットに搭載されるノードボード１００のインタフェース部の構成が図示され、その他の内部回路は省略されている。ノードボード１００には、スロット側のポートとそれぞれ対応したｎ個のシリアルポート＃１−＃ｎと、シリアル信号セレクタ１０１と、ボード管理部１０２とが設けられている。ボード管理部１０２は、Ｉ２ＣバスやＰＣＩバスなどの制御バスによりシリアル信号セレクタ１０１および装置管理部１２に接続されている。装置管理部１２は、後述するようにボード管理部１０２との間でインタフェース情報をやりとりし、ボード管理部１０２はシリアル信号セレクタ１０１にインタフェースの接続指示を出す。シリアル信号セレクタ１０１は、ボード管理部１０２の制御に従って、複数の異なる方式のシリアル信号Ａ１−Ａｍとポート＃１−＃ｎとの間の接続を選択する。
【００１８】
図３にはスロットに搭載されるスイッチボード２００のインタフェース部の構成が図示され、その他の内部回路は省略されている。スイッチボード２００には、シリアル信号スイッチ２０１、ボード管理部２０２およびｎ個のシリアルポート＃１−＃ｎとが設けられている。ボード管理部２０２は、Ｉ２ＣバスやＰＣＩバスなどの制御バスによりシリアル信号スイッチ２０１および装置管理部１２に接続されている。装置管理部１２は、後述するようにボード管理部２０２との間でインタフェース情報をやりとりし、ボード管理部２０２はシリアル信号スイッチ２０１にインタフェースの接続指示を出す。シリアル信号スイッチ２０１は、ボード管理部２０２の制御に従って、ポート＃１−＃ｎの入力データのスイッチングを行う。
【００１９】
１．２）バックプレーン接続形態
以下、本実施形態によるバックプレーン１１の接続形態について図４および図５を参照しながら説明する。ここでは、１ポート単位でスロット間接続が行われる場合を例示する。
【００２０】
図４に一般的に示すように、スロットＳＬ＃ｉに着目すると、当該スロットと同じ番号のポート＃ｉが未使用ポートに設定され、当該スロットのポート＃ｉ以外の各ポートと当該ポートと同じ番号のスロットにおけるポート＃ｉとが接続される。言い換えれば、スロットＳＬ＃ｉのポート＃ｉ以外の全てのポートは、他の全てのスロットのポート＃ｉにそれぞれ１対１で接続される。すなわち、ｉ，ｊを１以上ｎ以下の任意の整数でｉ≠ｊとすれば、バックプレーン１１は、スロットＳＬ＃ｉのポート＃ｊをスロットＳＬ＃ｊのポート＃ｉに接続するという規則に従って構成される。
【００２１】
図４に従えば、たとえばスロットＳＬ＃ｉのポート＃ｉ＋１はスロットＳＬ＃ｉ＋１のポート＃ｉと接続し、スロットＳＬ＃ｉのポート＃ｉ＋２はスロットＳＬ＃ｉ＋２のポート＃ｉと接続し、スロットＳＬ＃ｉのポート＃ｉ−１はスロットＳＬ＃ｉ−１のポート＃ｉと接続する。以下同様である。この接続規則に従うことにより、自スロットから見ると他スロットのポートはすべて同じポート番号と接続されていることになる。
【００２２】
図５は、ｎポート、ｎスロットの通信装置１０におけるバックプレーン１１の接続例を示す。
【００２３】
１．３）効果
このように接続することで、バックプレーン１１は、全てのスロットのボードをポート単位で接続するフルメッシュ構造を有するので、スイッチボードおよびノードボードを搭載するスロット位置を固定する必要がなくなる。
【００２４】
さらに、上述したようにノードボードの各ポートがシリアル信号セレクタ１０１により異なるシリアル伝送方式を選択できるので、スロット番号ＳＬ＃ｉにスイッチボードを搭載した場合、他のスロットに搭載したノードボードの同一ポート＃ｉで当該スイッチボードが使用するシリアル伝送方式に統一することができる。
【００２５】
したがって、スイッチボードやノードボードの搭載位置や搭載数に制約されることなく自由に装置構成を行うことができ、さらにバックプレーン１１で使用するＥｔｈｅｒやＰＣＩ−Ｅｘｐｒｅｓｓなどのシリアル伝送方式をポートレベルで選択することが可能となる。
【００２６】
２．実施例
２．１）構成
本発明の一実施例による通信装置として、４スロット、４ポートの構成を図６および図７に示す。図６は具体的な接続を示した例である。自スロット番号に対応したポート番号は未使用ポートとし、その他の自スロットのポートはポート番号に対応した他スロットにおける自スロット番号に対応したポート番号に接続されている。たとえばスロット＃３を例にとれば、そのポート＃３は自スロットの番号＃３に対応するので未使用ポート（斜線ポート）となり、ポート＃１はスロット＃１のポート＃３との間で接続３０１が形成され、ポート＃２はスロット＃２のポート＃３との間で接続３０２が形成され、ポート＃４はスロット＃４のポート＃３との間で接続３０３が形成されている。
【００２７】
図６に示すバックプレーン１１の接続形態において、図７に示すように、スロット＃１にノードボード１００ａを、スロット＃２にノードボード１００ｂを、スロット＃３にスイッチボード２００ａを、スロット＃４にスイッチボード２００ｂを、それぞれ搭載したものとする。
【００２８】
この場合、ノードボード１００ａのポート＃４とノードボード１００ｂのポート＃４とがスイッチボード２００ｂのポート＃１とポート＃２とにそれぞれ接続され、ノードボード１００ａのポート＃３とノードボード１００ｂのポート＃３とがスイッチボード２００ａのポート＃１とポート＃２とにそれぞれ接続される構成となる。すなわち、スイッチボードのスロット番号（＃３、＃４）と、接続する各ノードボードのポート番号（＃３、＃４）とが同じになっている。また、スロット間を接続する必要のない場合は、後述するように、装置管理部１２からの設定情報により接続３０４、３０５を論理的に未接続状態にすることも可能である。
【００２９】
２．２）接続管理情報
以下、図８〜図１０を参照しながら、装置管理部１２および各ボードのボード管理部１０２，２０２の機能について説明する。ここでは、図７に示すように、ノードボード１００ａ、１００ｂとスイッチボード２００ａ、２００ｂとが搭載されているものとする。
【００３０】
図８に示すように、各スイッチボード２００のボード管理部２０２と各ノードボード１００のボード管理部１０２とは、装置管理部１２に対して確認情報４０１、４０２をそれぞれ送信する。また、装置管理部１２は、これらの確認情報に応じて、各スイッチボード２００のボード管理部２０２へ設定情報５０１を、各ノードボード１００のボード管理部１０２へ設定情報５０２をそれぞれ送信する。
【００３１】
図９（Ａ）に示すように、スイッチボード２００からの確認情報４０１にはボード種別とシリアル信号種別が含まれ、ノードボード１００からの確認情報４０２にはボード種別と、各シリアル番号種別とそのポート数とが含まれる。
【００３２】
図９（Ｂ）に示すように、装置管理部１２から各スイッチボード２００へ送信される設定情報５０１には当該スイッチボード２００の各ポート番号とその接続可否情報とが含まれる。また、装置管理部１２から各ノードボード１００へ送信される設定情報５０２には当該ノードボード１００の各ポート番号とそのシリアル信号種別情報とが含まれる。
【００３３】
装置管理部１２の管理テーブル１３には、装置内のシリアル信号制御用管理テーブル１３ａと、スロット位置とボード種別の管理テーブル１３ｂとが設けられている。図１０（Ａ）に示すように、管理テーブル１３ａには、各シリアル信号種別に対応したスロット番号＝ポート番号が格納されている。図１０（Ｂ）に示すように、管理テーブル１３ｂには、各スロット番号とそれに対応するボード種別とが格納されている。なお、ボード種別は、スイッチボード、ノードボードあるいは未搭載である。装置管理部１２はこのような管理テーブル１３を用いて各ボードをポート単位で管理することができる。
【００３４】
２．３）動作
図６に示すように、バックプレーン１１は全スロットがフルメッシュ構成となるように既に述べた規則に従って接続される。すなわち、まず自スロット番号に対応したポート番号は未使用ポート（斜線を付したポート）とし、他のポートについては各ポート番号に対応したスロット番号に接続するが、接続先スロットのポート番号は自スロットの番号と同じ箇所にする。このルールに従ってバックプレーン１１のシリアルポートを接続する。
【００３５】
図７は、このバックプレーン１１を持った通信装置１０のスロット＃３、＃４にスイッチボード２００ａ、２００ｂを、スロット＃１、＃２にノードボード１００ａ、１００ｂをそれぞれ搭載した場合を示す。スイッチボード２００ａ、２００ｂのシリアル信号インタフェースは同じシリアル信号でも良いし、異なるシリアル信号でも良い。
【００３６】
図７では、スロット＃３に搭載されたスイッチボード２００ａは各ノードボードのポート＃３と接続され、スロット＃４に搭載されたスイッチボード２００ｂは各ノードボードのポート＃４と接続される構成となる。スイッチボードを搭載するスロット番号とノードボードを搭載するスロットのポート番号の番号は同じ番号であるから、スイッチボード単位で使用するシリアル信号を選択でき、ノードボード１００ａ、１００ｂとしては同じシリアル信号インタフェースを同ポートに持ったノードボードを使用することができる。シリアル信号はＳＥＲＤＥＳ信号とし、具体例を挙げるとＥｔｈｅｒやＰＣＩ−Ｅｘｐｒｅｓｓなどがある。
【００３７】
次に図２、図３、図９および図１０を用いて、スイッチボード２００とノードボード１００のインタフェースを装置管理部１２が整合する処理について説明する。
【００３８】
装置管理部１２と各ボード管理部１０２、２０２とのインタフェースはＥｔｈｅｒやＩ２Ｃなどの制御信号とする。ノードボード１００およびスイッチボード２００が通信装置１０に実装されたとき、各ボードのボード管理部１０２、２０２は図９（Ａ）に示すような自ボードの確認情報を装置管理部１２へ送信する。
【００３９】
スイッチボード２００のボード管理部２０２は、図９（Ａ）に示すように、ボード種別（この場合スイッチボード）とシリアル信号種別（例：Ｅｔｈｅｒ、ＰＣＩ−Ｅｘｐｒｅｓｓなど）とからなる確認情報４０１を装置管理部１２へ送付する。
【００４０】
ノードボード１００のボード管理部１０２は、図９（Ａ）に示すように、ボード種別と、各シリアル信号種別（例：Ｅｔｈｅｒ、ＰＣＩ−Ｅｘｐｒｅｓｓなど）と、そのポート数（１ポート、２ポートなど）とからなる確認情報４０２を装置管理部１２へ送付する。
【００４１】
装置管理部１２ではスイッチボード２００およびノードボード１００から受け取った確認情報４０１，４０２を元に、図１０（Ｂ）に示すスロット番号とボード種別とを関連付けて管理するテーブル１３ｂと、図１０（Ａ）に示すシリアル信号種別とスロット番号（＝ポート番号）を関連付けて管理するテーブル１３ａとを作成する。
【００４２】
管理テーブル１３に格納された管理情報を元に、装置管理部１２は、図９（Ｂ）に示すポート番号と接続可否情報とからなる設定情報５０１を各スイッチボードへ送付する。具体的にはノードボード１００が搭載されているスロット位置のポート番号は接続可の情報を、スイッチボード２００が搭載されているスロットのポート番号には接続不可の情報を送付する。また、各ノードボード１００に対しては、図９（Ｂ）に示すポート番号とシリアル信号種別情報とからなる設定情報５０２を送付する。
【００４３】
スイッチボード２００のボード管理部２０２は、装置管理部１２から設定情報５０１を受信すると、そのポート番号と接続可否情報に基づき、シリアル信号スイッチ２０１に対して各ポート（＃１−＃４）をオープンにするかクローズにするかを示す指示を出す。それによりノードボード１００に接続されているポートのみオープンする。ノードボード１００のボード管理部１０１は、装置管理部１２から設定情報５０２を受信すると、そのポート番号とシリアル信号種別情報に基づき、シリアル信号セレクタ１０１に指示を出して、対応するシリアル信号とポート番号（＃１−＃４）とを接続する。
【００４４】
図７の構成で説明すると、スイッチボードのボード管理部２０１は装置管理部１２から設定情報５０１を受信するが、この設定情報５０１はポート＃１：接続可、ポート＃２：接続可、ポート＃３：接続不可、ポート＃４：接続不可という設定であり、この設定情報５０１に従ってシリアル信号スイッチ２０１へ指示を出す。この指示に従って、シリアル信号スイッチ２０１は、接続可のポート＃１、＃２をオープンに、接続不可のポート＃３、＃４はクローズにする。
【００４５】
ノードボードのボード管理部１０１は装置管理部１２から設定情報５０２を受信するが、この設定情報５０２はポート＃３：シリアル信号Ａ１、ポート＃４：シリアル信号Ａ２という設定であり、この設定情報５０２に従ってシリアル信号セレクタ１０１に指示を出す。この指示を受け取ったシリアル信号セレクタ１０１は、ポート＃３をシリアル信号Ａ１と接続し、ポート＃４をシリアル信号Ａ２と接続するように内部を構成する。これにより、スイッチボード２００ａ、２００ｂに合わせたシリアル信号をノードボード１００ａ、１００ｂ側で選択することが可能となる。
【００４６】
２．４）効果
本実施例によれば、スイッチボードの搭載位置が固定されないので、スイッチボードの実装枚数を増やすことが可能になる。また、各ボードの搭載位置が固定されないので、追加ボードをどこに実装しても良く、ノードボードやスイッチボードの追加が容易になる。
【００４７】
３．他の実施例
上述した実施例では、スロット間の接続を１ポート単位での接続としているが、１ポートに限ることはなく、複数ポート単位での接続も可能である。その場合、シリアル信号種別はスロット間の接続単位で同じになる。
【００４８】
４．付記
上述した実施形態の一部あるいは全部は、以下の付記のようにも記載されうるが、これらに限定されるものではない。
【００４９】
（付記１）
複数ポートを有するスロットを複数個配列した通信装置であって、
各スロットにおける各ポートを異なるスロットにそれぞれ対応付けてポート単位で接続したフルメッシュ接続構造を有するシリアル伝送バックプレーンと、
各スロットに搭載されたボードの各ポートの接続状態を管理する管理手段と、
を有することを特徴とする通信装置。
【００５０】
（付記２）
ｎを２以上の正整数とすると、ｎ個のスロットの各々がｎ個のポートを有し、前記シリアル伝送バックプレーンは、任意のｉ番目のスロットの任意のｊ番目のポートがｊ番目のスロットのｉ番目のポートに接続された接続形態を有することを特徴とする付記１に記載の通信装置。
【００５１】
（付記３）
前記複数のスロットに少なくとも１個のスイッチボートと複数のノードボードとを搭載し、前記管理手段は前記スイッチボートの各ポートの接続状態を設定することを特徴とする付記１または２に記載の通信装置。
【００５２】
（付記４）
前記管理手段は前記ノードボートの各ポートのシリアル信号の種別を前記スイッチボートのシリアル伝送方式に整合させるように前記ノードボートのシリアル信号種別を切り換えることを特徴とする付記３に記載の通信装置。
【００５３】
（付記５）
複数ポートを有するスロットを複数個配列した通信装置における接続管理方法であって、
前記通信装置は、各スロットにおける各ポートを異なるスロットにそれぞれ対応付けてポート単位で接続したフルメッシュ接続構造を有するシリアル伝送バックプレーンを有し、
各スロットに搭載されたボードからボード種別およびシリアル信号種別を含む確認情報を取得することで、各ボードに関する管理テーブルを生成し、
前記管理テーブルを用いて前記複数のスロットに搭載されたボードを所望の接続形態に設定するための設定情報を各ボードへ送信する、
ことを特徴とする接続管理方法。
【００５４】
（付記６）
ｎを２以上の正整数とすると、ｎ個のスロットの各々がｎ個のポートを有し、前記シリアル伝送バックプレーンは、任意のｉ番目のスロットの任意のｊ番目のポートがｊ番目のスロットのｉ番目のポートに接続された接続形態を有することを特徴とする付記５に記載の接続管理方法。
【００５５】
（付記７）
前記複数のスロットに少なくとも１個のスイッチボートと複数のノードボードとを搭載し、前記設定情報が前記スイッチボートの各ポートの接続状態を設定することを特徴とする付記５または６に記載の接続管理方法。
【００５６】
（付記８）
前記設定情報が、前記ノードボートの各ポートのシリアル信号の種別を前記スイッチボートのシリアル伝送方式に整合させるように前記ノードボートのシリアル信号種別を切り換えることを特徴とする付記７に記載の接続管理方法。
【００５７】
（付記９）
複数ポートを有するスロットを複数個配列し、各スロットにおける各ポートを異なるスロットにそれぞれ対応付けてポート単位で接続したフルメッシュ接続構造を有するシリアル伝送バックプレーンと、各スロットに搭載されたボードの各ポートの接続状態を管理する管理手段と、を有する通信装置に搭載されるノードボードであって、
前記管理手段とインタフェース情報を送受信するためのボード管理手段と、
前記ボード管理手段により制御され、前記複数ポートの任意のポートを複数種別のシリアル信号の１つに接続するシリアル信号選択手段と、
を有することを特徴とするノードボード。
【００５８】
（付記１０）
複数ポートを有するスロットを複数個配列し、各スロットにおける各ポートを異なるスロットにそれぞれ対応付けてポート単位で接続したフルメッシュ接続構造を有するシリアル伝送バックプレーンと、各スロットに搭載されたボードの各ポートの接続状態を管理する管理手段と、を有する通信装置に搭載されるスイッチボードであって、
前記管理手段とインタフェース情報を送受信するためのボード管理手段と、
前記ボード管理手段により制御され、前記複数ポートの任意のポートを他のポートと接続するシリアル信号スイッチ手段と、
を有することを特徴とするスイッチボード。
【００５９】
（付記１１）
ｎを２以上の正整数とすると、ｎ個のスロットの各々がｎ個のポートを有し、前記シリアル伝送バックプレーンは、任意のｉ番目のスロットの任意のｊ番目のポートがｊ番目のスロットのｉ番目のポートに接続された接続形態を有することを特徴とする付記９に記載のノードボード。
【００６０】
（付記１２）
ｎを２以上の正整数とすると、ｎ個のスロットの各々がｎ個のポートを有し、前記シリアル伝送バックプレーンは、任意のｉ番目のスロットの任意のｊ番目のポートがｊ番目のスロットのｉ番目のポートに接続された接続形態を有することを特徴とする付記１０に記載のスイッチボード。
【産業上の利用可能性】
【００６１】
本発明はスイッチボードとノードボードで構成される通信装置に適用できる。
【符号の説明】
【００６２】
１０  通信装置
１１  バックプレーン
１２  装置管理部
１３  管理テーブル
１００  ノードボード
１０１  シリアル信号セレクタ
１０２  ボード管理部
２００  スイッチボード
２０１  シリアル信号スイッチ
２０２  ボード管理部
【図１】
0005706116.tif 000002
【図２】
0005706116.tif 000003
【図３】
0005706116.tif 000004
【図４】
0005706116.tif 000005
【図５】
0005706116.tif 000006
【図６】
0005706116.tif 000007
【図７】
0005706116.tif 000008
【図８】
0005706116.tif 000009
【図９】
0005706116.tif 000010
【図１０】
0005706116.tif 000011